(57)【特許請求の範囲】
【請求項１】
隅角部に撮像カメラのアームの支持部を配設し、中央部に資料載置面を設けるとともに、前記撮像カメラの制御回路及び操作パネルとを搭載したステージと、
外部機器及び電源接続用の入出力用コネクタを配設した基台と、
前記ステージと基台とを相対回動自在に連結する相対回動機構と、
前記ステージに搭載した制御回路と基台に配設した入出力用コネクタ間を接続する電気的接続手段と、
前記ステージと基台間の相対回動角度を検出するときの基準となるステージの基準位置を設定する基準位置設定手段と、
前記基準位置を基準として、前記ステージと基台間の相対回動角度を検出する相対回動角度検出手段と、
該相対回動角度検出手段が９０度の相対回動角度を検出する毎に、その検出信号に基づいて撮像映像を回転させて、正立像を出力表示させる映像回転処理手段とから構成したことを特徴とする資料提示装置。
【発明の詳細な説明】
【技術分野】
【０００１】
本発明は、ステージ上に載置した資料の撮像画像を、モニターやスクリーン等に表示させる資料提示装置に関するものである。
【背景技術】
【０００２】
従来の資料提示装置では、プロジェクター・モニター等の外部機器及び電源接続用の入出力コネクタが本体装置の背面に設置される場合が多い。従って、接続ケーブルを本体装置の背面に引き回す必要がある。このため、本体装置や外部機器の設置場所によっては、接続ケーブルの引き回しが煩雑となるばかりでなく、その取りまとめが面倒である。
【０００３】
また、資料提示装置はステージの隅角部に撮像カメラのアームの支持部が配設されているものがある。この場合、図５（ａ）に示すようにこの支持部９が邪魔になって、ステージ４に載置した資料ＰをＹ方向へ移動することができず、該支持部９と対角位置にある部分Ｘを拡大表示することができない。この場合、資料を横向きし映像回転機能により、撮像映像を９０度回転させて拡大表示する方法もあるが、横向きの資料を見ながら説明するのは難しい。
尚、特開２００３−３２５１６号公報及び特開２００４−８０１７８号公報には、回転ステージを設けて載置した資料を回転する資料提示装置が開示されている。しかしながら、これらはステージと基台とを相対回動自在としたものではない。
【特許文献１】特開２００３−３２５１６号公報
【特許文献２】特開２００４−８０１７８号号公報
【発明の開示】
【発明が解決しようとする課題】
【０００４】
解決しようとする問題点は、電源や外部機器等と接続する接続ケーブルの引き回しを容易にできるとともに、ステージの回動により、資料の移動の邪魔となる撮像カメラのアームの支持部の位置を移動させて、ステージ上の資料の向きを該ステージの回動前の向きで拡大表示できる資料提示装置を提供することである。
【課題を解決するための手段】
【０００５】
上記問題点を解決するための請求項１に記載の資料提示装置は、隅角部に撮像カメラのアームの支持部を配設し、中央部に資料載置面を設けるとともに、前記撮像カメラの制御回路及び操作パネルとを搭載したステージと、
外部機器及び電源接続用の入出力用コネクタを配設した基台と、
前記ステージと基台とを相対回動自在に連結する相対回動機構と、
前記ステージに搭載した制御回路と基台に配設した入出力用コネクタ間を接続する電気的接続手段と、
前記ステージと基台間の相対回動角度を検出するときの基準となるステージの基準位置を設定する基準位置設定手段と、
前記基準位置を基準として、前記ステージと基台間の相対回動角度を検出する相対回動角度検出手段と、
該相対回動角度検出手段が９０度の相対回動角度を検出する毎に、その検出信号に基づいて撮像映像を回転させて、正立像を出力表示させる映像回転処理手段とから構成したことを特徴とする。
【発明の効果】
【０００６】
請求項１に記載の資料提示装置によれば、相対回動機構によりステージと基台が連結されているから、基台の入出力用コネクタを電源や外部機器等との接続に都合のよい位置に位置変えすることができる。また、拡大表示する場合、撮像カメラのアームの支持部が邪魔になって、ステージ上で資料を移動することができない場合には、ステージを回動させて支持部が資料の移動に邪魔にならない位置へ移動させる。このとき、ステージと基台間の相対回動角度を検出する相対回動角度検出手段が９０度の相対回動角度を検出する毎に、その検出信号に基づいて映像回転処理手段が撮像映像を回転させ、撮像映像をモニター等に正立表示させる。これにより、電源や外部機器等と接続する接続ケーブルの引き回しを容易にできるとともに、ステージ上の資料の向きを該ステージの回動前の向きで拡大表示できる使い勝手に優れた資料提示装置を提供できる。
【実施例】
【０００７】
本発明の実施例について図面を参照して説明する。図１は、実施例に係る資料提示装置１の斜視図、図２は側面図である。基台２上には、相対回動機構３によりステージ４が連結されて支持されている。基台２の一側面には、電源及び外部機器等の接続ケーブルを連結する入出力用コネクタ５が配設されている（図２参照）。ステージ４の上面には、資料の載置面６が形成されている。また、ステージ４の隅角部に撮像カメラ７のアーム８の支持部９が配設されている。撮像カメラ７は撮像素子（ＣＣＤ）を備えており、アーム８の先端に回動可能に取り付けられている。また、アーム８は支持部９により揺動可能に支持されている。
【０００８】
さらに、ステージ４の上面には、資料提示装置１の各種動作を操作するための操作ボタン等を組み込んだ操作パネル１０が配設されている。資料提示装置１の各種動作は、操作パネル１０の操作ボタン等の操作に基づいて、ステージ４内に組み込んだ制御回路１１が出力する制御信号により行なわれる。制御回路１１には、撮像カメラ７の撮像した映像を９０度毎に回転させて出力する映像回転処理回路１２が組み込まれている。
【０００９】
図３に示すように上記相対回動機構３は、軸受２１により基台２とステージ４を相対回動自在に連結したものである。軸受２１は下面の縮径ボス部２１ａが基台２のシャーシ２２の嵌着孔２３に嵌着され、該シャーシ２２にねじ固定されている。また、軸受２１の上面の縮径ボス部２１ｂが、ステージ４のシャーシ２４の嵌着孔２５に嵌着され、該縮径ボス部２１ｂの回りで該シャーシ２４が回動可能となっている。そして、縮径ボス部２１ｂに嵌着されたスペーサリング２６をシャーシ２４上に押圧する押さえリング板２７が、該縮径ボス部２１ｂにねじ固定されている。
【００１０】
また、シャーシ２４には、嵌着孔２５の回りにストッパー２８とマイクロスイッチ２９が９０度の角間隔を置いて同心円上に配置されている。ストッパー２８には、押さえリング板２７の外周に突出形成した衝合突部２７ａを衝合させて、基台２とステージ４との相対回動角度を３６０度以下に規制している。また、衝合突部２７ａは、マイクロスイッチ２９の衝合片２９ａに衝合して、基台２とステージ４間の９０度の相対回動角度を検出する。マイクロスイッチ２９は、ストッパー２８に対して１８０度と２７０度の位置に設け、相対回動角度９０度毎に検出信号を出力させることもできる。この場合、マイクロスイッチ２９毎の検出信号に基づいて、制御回路１１の映像回転処理回路１２が撮像映像を回転させ、モニター等に正立表示させる。ストッパー２８と衝合突部２７ａは本願発明におけるステージ４と基台２間の相対回動角度を検出するときの基準となるステージ４の基準位置を設定する基準位置設定手段を構成するものであり、ストッパー２８と衝合突部２７ａが衝合することによりステージ４と基台２の相対回動角度０度となるステージ４の基準位置が設定される。また、マイクロスイッチ２９はこの基準位置を基準として、ステージ４と基台２間の相対回動角度を検出する相対回動角度検出手段を構成する。
【００１１】
さらに、軸受２１には、クリック機構３０が設けられている。クリック機構３０は、バネ３１の弾力によりクリックボール３２をシャーシ２４の下面に設けたクリック凹部３３に係合させるものである。クリック凹部３３は、上記マイクロスイッチ２９と同様、９０度の角間隔を置いて同心円上に形成されている。そして、基台２とステージ４が相対回動する際に、衝合突部２７ａがマイクロスイッチ２９の衝合片２９ａに衝合するタイミングに同期してクリック感を感得できるようになっている。
【００１２】
基台２のシャーシ２２には図４に示すように、側面に突出する入出力用コネクタ５を設けた回路基板３４が装着されている。また、ステージ４のシャーシ２４には、制御回路１１の回路基板３５が装着されている。回路基板３４と３５間の電気的接続は、軸受２１の中心孔２１ｃに弛みをもたせて緩やかに遊挿させたワイヤーハーネス３６を接続することにより確保されている。ワイヤーハーネス３６の代わりに、接点と該接点が摺擦する導電リング板により、回路基板３４と３５間の電気的接続を確保することもできる。 
【００１３】
上記実施例で説明した資料提示装置１は、相対回動機構３により基台２とステージ４が連結されているから、資料提示装置１をセットする際、基台２の入出力用コネクタ５を電源や外部機器等との接続に都合のよい位置に変えることができる。また、図５（ａ）に示すように、ステージ４上の資料Ｐの撮像カメラ７のアーム８の支持部９と対角位置にある部分Ｘを拡大表示する場合には、撮像カメラ７のアーム８の支持部９が邪魔になって、資料ＰをＹ方向へ移動させ拡大表示したい部分Ｘを撮像カメラ７の撮像範囲に入れることができない。
【００１４】
この場合には図５（ｂ）に示すように、ステージ４を基台２に対して９０度回動させて、支持部９が資料の移動に邪魔にならない位置へ移動させる。このとき、押さえリング板２７の外周に突出形成した衝合突部２７ａがマイクロスイッチ２９の衝合片２９ａに衝合して、基台２とステージ４間の９０度の相対回動角度を検出する。この検出信号により、制御回路１１の映像回転処理回路１２が撮像映像を９０度回転させる。同時に、クリック機構３０によりクリック感を感得することができる。そして、資料をステージ４の回動させる前の向きに置き直すと、モニター等に撮像映像が正立して表示される。そして、撮像カメラ７のアーム８の支持部９が邪魔にならないから、資料ＰをＹ方向へ移動させて拡大表示したい部分Ｘを撮像カメラ７の撮像範囲に入れることができる。
【００１５】
上記の説明では、ステージ４を基台２に対して９０度回動したとき、マイクロスイッチ２９の検出信号により自動的に制御回路１１の映像回転処理回路１２が撮像映像を９０度回転させるようにしたが、操作パネル１０に撮像映像を９０度毎に回転させる作動ボタン（図示せず）を設けて、該作動ボタンの操作に基づいて映像回転処理回路１２により撮像映像を９０度毎に回転させるようにすることもできる。さらに、撮像カメラ７の撮像素子を含むレンズ部に設けた映像回転機構（図示せず）により撮像映像を、手動で９０度毎に回転させることもできる。
【００１６】
上記したように本実施例の資料提示装置１は、ステージ４及び入出力コネクタ５の位置の移動が簡単で、電源や外部機器等と接続する接続ケーブルの引き回しを容易にできるとともに、ステージ４の回動により、資料Ｐの移動の邪魔となる撮像カメラ７のアーム８の支持部９の位置を移動させて、ステージ４上の資料Ｐの向きを、説明に便利なステージ４の回動前の向きで拡大表示できる資料提示装置を安価に提供することができる。
【図面の簡単な説明】
【００１７】
【図１】実施例に係る資料提示装置の斜視図である。
【図２】同、側面図である。
【図３】相対回動機構の分解斜視図である。
【図４】要部の断面図である。
【図５】作動を示した説明図である。
【符号の説明】
【００１８】
１  資料提示装置
２  基台
３  相対回動機構
４  ステージ
５  入出力用コネクタ
７  撮像カメラ
８  アーム
９  支持部
１０  操作パネル
１１  制御回路
１２  映像回転処理回路
２１  軸受
２９  マイクロスイッチ
３０  クリック機構
【図１】
0004535381.tif 000002
【図２】
0004535381.tif 000003
【図３】
0004535381.tif 000004
【図４】
0004535381.tif 000005
【図５】
0004535381.tif 000006